(57)【要約】【課題】操作部からその日のスケジュールをいちいち入力しないで、自動的にマナーモードのスケジュールを作成することにある。【解決手段】利用者による履歴を使用するモード設定時に新規履歴モードまたは過去履歴モードの選択を曜日毎にさせ、利用者によるマナーモード設定時にその日に該当する曜日が新規履歴モードになっていれば、主制御部１０５がマナーモードの設定された時間帯をマナーモード設定履歴データ格納部１０９に履歴データとして登録する。日付更新時にマナー履歴管理モード１１３２が「ＯＮ」になっていれば、主制御部１０５は、マナーモード設定履歴データ格納部１０９に登録されている当日の曜日に該当する履歴データをマナーモード時間帯設定部１１１に設定し、マナーモード時間帯設定部１１１の内容を今日一日のマナーモードスケジュールとして使用する。【選択図】      図１
2004253980.tif 000002
【特許請求の範囲】
【請求項１】
スケジュールに基づいてマナーモードに応じた着信方法で外部に対して報知する携帯電話端末装置において、
マナーモードに設定された場合にその設定された時間帯の履歴を記録する履歴手段と、
日付更新時に前記履歴手段で記録した時間帯の履歴を基に今日一日のマナーモードのスケジュールとしてマナーモードにすべき時間帯を作成する作成手段と、を有することを特徴とする移動電話端末装置。
【請求項２】
スケジュールに基づいてマナーモードに応じた着信方法で外部に対して通知する携帯電話端末装置において、
履歴を使用するモード設定時に過去に取られた時間帯の履歴を使用するモード（以降、過去履歴モードと称す）にするか新たに履歴を取る時間帯の履歴を使用するモード（以降、新規履歴モードと称す）にするかを曜日毎に選択させる選択手段と、
マナーモードに設定された場合に現在の曜日が前記選択手段で選択された前記新規履歴モードになっていれば現在の曜日に該当する時間帯の履歴を記録する履歴手段と、
日付更新時に前記履歴を使用するモードになっていれば前記履歴手段で記録した時間帯の履歴の内日付更新後の現在の曜日に該当する時間帯を今日一日のマナーモードのスケジュールとしてマナーモードにすべき時間帯作成する作成手段と、を有することを特徴とする携帯電話端末装置。
【請求項３】
日付更新時に日付更新前の曜日が前記選択手段で選択された前記新規履歴モードになっていれば日付更新前の曜日を前記過去履歴モードにすることにより登録した内容を変更させないようにする設定手段を有することを特徴とする請求項２記載の携帯電話端末装置。
【請求項４】
スケジュールに基づいてマナーモードに応じた着信を外部に対して報知する携帯電話端末装置において、
履歴を使用するモード設定時にマナーモードに設定された時間帯の履歴を記録する期間を入力させる入力手段と、
マナーモードの設定された場合に現在が前記入力手段で入力させた期間内であればマナーモードに設定された時間帯の履歴を記録する履歴手段と、
日付更新時に前記履歴を使用するモードになっていて日付更新後の日付が前記入力された期間を過ぎていれば前記履歴手段で記録した時間帯の履歴を基に今日一日のマナーモードのスケジュールとしてマナーモードにすべき時間帯を作成する作成手段と、を有することを特徴とする携帯電話端末装置。
【請求項５】
前記作成手段で作成した時間帯に着信があると予め決められた着信方法で外部に対して報知する報知手段を有することを特徴とする請求項１，２，または４記載の携帯電話端末装置。
【請求項６】
スケジュールに基づいてマナーモードに応じた着信方法で外部に対して報知する携帯電話端末装置におけるマナーモードのスケジュール方法であって、
マナーモードに設定された場合にその設定された時間帯の履歴を第１の記憶部に記録するステップと、
日付更新時に前記第１の記憶部に取った時間帯の履歴を基に今日一日のマナーモードのスケジュールとしてマナーモードにすべき時間帯を第２の記憶部に作成するステップと、を含むことを特徴とマナーモードのスケジュール方法。
【請求項７】
スケジュールに基づいてマナーモードに応じた着信方法で外部に対して報知する携帯電話端末装置におけるマナーモードのスケジュール方法であって、
履歴を使用するモード設定時に過去に取られた時間帯の履歴を使用するモード（以降、過去履歴モードと称す）にするか新たに履歴を取る時間帯の履歴を使用するモード（以降、新規履歴モードと称す）にするかを曜日毎に選択させるステップと、
マナーモードに設定された場合に現在の曜日が前記新規履歴モードになっていれば現在の曜日に該当する時間帯の履歴を第１の記憶部に記録するステップと、
日付更新時に前記履歴を使用するモードになっていれば前記第１の記憶部に記録した時間帯の履歴の内日付更新後の現在の曜日に該当する時間帯を今日一日のマナーモードのスケジュールとしてマナーモードにすべき時間帯を第２の記憶部に作成するステップと、を含むことを特徴とするマナーモードのスケジュール方法。
【請求項８】
日付更新時に日付更新前の曜日が前記新規履歴モードになっていれば日付更新前の曜日を前記過去履歴モードにすることにより前記第１の記憶部に前日記録した内容を変更させないようにするステップを含むことを特徴とする請求項７記載のマナーモードのスケジュール方法。
【請求項９】
スケジュールに基づいてマナーモードに応じた着信方法で外部に対して報知する携帯電話端末装置におけるマナーモードのスケジュール方法であって、
履歴を使用するモード設定時にマナーモードに設定された時間帯の履歴を取る期間を入力させるステップと、
マナーモードの設定された場合に現在が前記入力させた期間内であればマナーモードに設定された時間帯の履歴を第１の記憶部に登録するステップと、
日付更新時に前記履歴を使用するモードになっていて日付更新後の日付が前記入力された期間を過ぎていれば前記第１の記憶部に登録した時間帯の履歴を基に今日一日のマナーモードのスケジュールとしてマナーモードにすべき時間帯を前記第２の記憶部に作成するステップと、を含むことを特徴とするマナーモードのスケジュール方法。
【請求項１０】
前記第２の記憶部に作成した時間帯に着信があると予め決められた着信方法で外部に対して報知するステップを含むことを特徴とする請求項６，７，または９記載のマナーモードのスケジュール方法。
【発明の詳細な説明】
【０００１】
【発明の属する技術分野】
本発明は、携帯電話やＰＨＳ等の携帯電話端末装置およびマナーモードのスケジュール方法に関し、特に、利用者のマナーモード（着信があった場合に人に迷惑をかけないような報知を行わせるモード）の設定に応じて動作する携帯電話端末装置およびマナーモードのスケジュール方法に関する。
【０００２】
【従来の技術】
従来のスケジュール設定に応じた携帯電話端末装置として、例えば、特開２００１−１８９７７４号公報および特開２００１−２５１３９５号公報に開示されている。これら特開２００１−１８９７７４号公報および特開２００１−２５１３９５号公報は、予め、利用者がスケジュールデータとして、日付情報、開始時刻情報、終了時刻情報等を設定しておき、現在の時刻とスケジュールの設定時間とを比較し、一致すると、マナーモードによる鳴動（音が出ないようにバイブレータ、ＬＣＤ表示等）を行っている。
【０００３】
【特許文献１】
特開２００１−１８９７７４号公報
【特許文献２】
特開２００１−２５１３９５号公報
【０００４】
【発明が解決しようとする課題】
しかしながら、開示されている特開２００１−１８９７７４号公報および特開２００１−２５１３９５号公報の技術では、予め、利用者がスケジュールデータとして、日付情報、開始時刻情報、終了時刻情報等を設定しておかなければならいため、そのスケジュールを作ること自体、携帯電話端末の操作キーから入力するには操作が複雑であり、初心者にとっては、設定が面倒で煩わしさを感じることが多いという問題点がある。
【０００５】
また、一般的にサラリーマンは、曜日単位で決まっていることが多いにもかかわらず、そのためにいちいちスケジュールを設定し直さなければならないという問題点がある。
【０００６】
本発明の目的は、上記問題点を鑑み、操作部からその日のスケジュール（予定日、時間帯等）をいちいち入力しないで、自動的にマナーモード（着信があった場合に人に迷惑をかけないような報知を行わせるモード）のスケジュールを作成することにある。
【０００７】
【課題を解決するための手段】
上記目的を達成するために、本発明の第１の携帯電話端末装置は、スケジュールに基づいてマナーモードに応じた着信方法で外部に対して報知する携帯電話端末装置において、マナーモードに設定された場合にその設定された時間帯の履歴を記録する履歴手段と、日付更新時に前記履歴手段で記録した時間帯の履歴を基に今日一日のマナーモードのスケジュールとしてマナーモードにすべき時間帯を作成する作成手段と、を有することを特徴としている。
【０００８】
また、本発明の第２の携帯電話端末装置は、スケジュールに基づいてマナーモードに応じた着信方法で外部に対して通知する携帯電話端末装置において、履歴を使用するモード設定時に過去に取られた時間帯の履歴を使用するモード（以降、過去履歴モードと称す）にするか新たに履歴を取る時間帯の履歴を使用するモード（以降、新規履歴モードと称す）にするかを曜日毎に選択させる選択手段と、マナーモードに設定された場合に現在の曜日が前記選択手段で選択された前記新規履歴モードになっていれば現在の曜日に該当する時間帯の履歴を記録する履歴手段と、日付更新時に前記履歴を使用するモードになっていれば前記履歴手段で記録した時間帯の履歴の内日付更新後の現在の曜日に該当する時間帯を今日一日のマナーモードのスケジュールとしてマナーモードにすべき時間帯作成する作成手段と、を有することを特徴としている。
【０００９】
更に、上記の第２の携帯電話端末装置において、日付更新時に日付更新前の曜日が前記選択手段で選択された前記新規履歴モードになっていれば日付更新前の曜日を前記過去履歴モードにすることにより登録した内容を変更させないようにする設定手段を有することを特徴としている。
【００１０】
また、本発明の第３の携帯電話端末装置は、スケジュールに基づいてマナーモードに応じた着信を外部に対して報知する携帯電話端末装置において、履歴を使用するモード設定時にマナーモードに設定された時間帯の履歴を記録する期間を入力させる入力手段と、マナーモードの設定された場合に現在が前記入力手段で入力させた期間内であればマナーモードに設定された時間帯の履歴を記録する履歴手段と、日付更新時に前記履歴を使用するモードになっていて日付更新後の日付が前記入力された期間を過ぎていれば前記履歴手段で記録した時間帯の履歴を基に今日一日のマナーモードのスケジュールとしてマナーモードにすべき時間帯を作成する作成手段と、を有することを特徴としている。
【００１１】
更に、上記の第１、第２、および第３の携帯電話端末装置において、前記作成手段で作成した時間帯に着信があると予め決められた着信方法で外部に対して報知する報知手段を有することを特徴としている。
【００１２】
また、本発明の第１のマナーモードのスケジュール方法は、スケジュールに基づいてマナーモードに応じた着信方法で外部に対して報知する携帯電話端末装置におけるマナーモードのスケジュール方法であって、マナーモードに設定された場合にその設定された時間帯の履歴を第１の記憶部に記録するステップと、日付更新時に前記第１の記憶部に取った時間帯の履歴を基に今日一日のマナーモードのスケジュールとしてマナーモードにすべき時間帯を第２の記憶部に作成するステップと、を含むことを特徴としている。
【００１３】
また、本発明の第２のマナーモードのスケジュール方法は、スケジュールに基づいてマナーモードに応じた着信方法で外部に対して報知する携帯電話端末装置におけるマナーモードのスケジュール方法であって、履歴を使用するモード設定時に過去に取られた時間帯の履歴を使用するモード（以降、過去履歴モードと称す）にするか新たに履歴を取る時間帯の履歴を使用するモード（以降、新規履歴モードと称す）にするかを曜日毎に選択させるステップと、マナーモードに設定された場合に現在の曜日が前記新規履歴モードになっていれば現在の曜日に該当する時間帯の履歴を第１の記憶部に記録するステップと、日付更新時に前記履歴を使用するモードになっていれば前記第１の記憶部に記録した時間帯の履歴の内日付更新後の現在の曜日に該当する時間帯を今日一日のマナーモードのスケジュールとしてマナーモードにすべき時間帯を第２の記憶部に作成するステップと、を含むことを特徴としている。
【００１４】
更に、上記の第２のマナーモードのスケジュール方法において、日付更新時に日付更新前の曜日が前記新規履歴モードになっていれば日付更新前の曜日を前記過去履歴モードにすることにより前記第１の記憶部に前日記録した内容を変更させないようにするステップを含むことを特徴としている。
【００１５】
また、本発明の第３のマナーモードのスケジュール方法は、スケジュールに基づいてマナーモードに応じた着信方法で外部に対して報知する携帯電話端末装置におけるマナーモードのスケジュール方法であって、履歴を使用するモード設定時にマナーモードに設定された時間帯の履歴を取る期間を入力させるステップと、マナーモードの設定された場合に現在が前記入力させた期間内であればマナーモードに設定された時間帯の履歴を第１の記憶部に登録するステップと、日付更新時に前記履歴を使用するモードになっていて日付更新後の日付が前記入力された期間を過ぎていれば前記第１の記憶部に登録した時間帯の履歴を基に今日一日のマナーモードのスケジュールとしてマナーモードにすべき時間帯を前記第２の記憶部に作成するステップと、を含むことを特徴としている。
【００１６】
更に、上記の第１、第２、または第３のマナーモードのスケジュール方法において、前記第２の記憶部に作成した時間帯に着信があると予め決められた着信方法で外部に対して報知するステップを含むことを特徴としている。
【００１７】
【発明の実施の形態】
次に、本発明の第１の実施の形態について図面を参照して説明する。
【００１８】
図１を参照すると、本発明の第１の実施の形態を示す携帯電話端末装置のブロック図である。この携帯電話端末装置は、アンテナ１００と、無線送受信部１０１と、無線データ制御部１０２と、表示部１０３と、報知部１０４と、図示していないプロセッサ（ＣＰＵ）によりプログラム制御で動作する主制御部１０５と、受話器１０６と、送話部１０７と、図示していない時計を用いて現在の年月日の時間を管理する日付時計機能部１０８と、マナーモード設定履歴データ格納部１０９と、テンキー等のキーを使用して入力する操作入力部１１０と、マナーモード時間帯設定部１１１と、マーモード通報手段格納部１１２と、マナーモード状態設定部１１３と、プログラムを格納したプログラムＲＯＭ１１４とから構成される。
【００１９】
図１の無線送受信部１０１は、送受信する無線信号を復変調し基地局からの無線信号に従った送受信動作を行っている。
【００２０】
図１の無線データ制御部１０２は、あらかじめ登録された自己の無線情報に従い、無線送信するための音声データと電子メールデータを主制御部１０５から受け取り生成して無線送受信部１０１に送出すると共に、無線を介して受信したデータのデコードを行い、音声データと電子メールデータを取り出し、主制御部１０５にデータを与える。
【００２１】
図１の表示部１０３は、主制御部１０５の指定データを表示する手段である。この表示部１０３には、音声着信を通知する動作や格納していた電子メールの編集、送信等の一連の処理が実行された場合に、それを告知する手段を有している。
【００２２】
図１の報知部１０４は、無線送受信部１０１、無線データ制御部１０２を介して通話着信または電子メールの受信が有ったときに、主制御部１０５から現在設定されている告知方法で操作者に通報するためのものである。
【００２３】
図１の主制御部１０５は、プログラムＲＯＭ１１４に格納されたプログラム内容に従って本携帯電話端末装置全体を制御し、音声通話や電子メールデータの送受信動作を管理および制御している。そして、主制御部１０５は、操作者が操作入力部１１０を介してマナーモードに設定した場合、履歴情報をマナーモード設定履歴データ格納部１０９に対して記録（保存）するように制御している。また、主制御部１０５は、マナーモード設定履歴データ格納部１０９に記録されているデータに基づいて、曜日毎にマナーモード時間帯設定部１１１にマナーモードになった時間帯の設定を行う。
【００２４】
図１の受話部１０６は、電話通話時に相手の音声を聴くためのスピーカを内蔵し、送話部１０７は、音声マイクを内蔵している。
【００２５】
図１の日付時計機能部１０８は、本端末装置の日付情報と時計であり、マナーモード設定の履歴の管理に利用され、それに基づくマナーモードの時間帯の設定を主制御部１０５に情報を提供する。
【００２６】
図１のマナーモード設定履歴データ格納部１０９は、図示していない不揮発性のメモリ（例えば、フラッシュメモリ）内のエリアに割り当てられている。図３を参照すると、本発明の履歴データとして、記録されるマナーモード設定履歴データ格納部１０９である。マナーモード設定履歴データ格納部１０９は、曜日毎にエリアが割り当てられており、各エリアには、曜日自身が設定されている曜日のエリアと、履歴を取るかどうかの識別［ＯＮの場合は新規に履歴を取り（新規履歴モード）、ＯＦＦの場合は履歴を取らない（過去履歴モード）］を示す履歴のエリアと、開始時間から終了時間を示す時間帯のエリアから構成されている。なお、マナーモード設定履歴データ格納部１０９は、履歴を取る状態が発生した場合には、複数の時間帯が記録される。利用者が操作入力部１１０を介してマナー履歴管理モードに設定していた場合に、利用者が履歴を取りたい曜日の日（該当する曜日の履歴のエリアが「ＯＮ」の場合）に操作入力部１１０からマナーモードにした時間帯がマーモード設定履歴格納部１０９に自動的に履歴データとして主制御部１０５により記録される。
【００２７】
図１の操作入力部１１０は、操作者からの基本操作入力を行い、入力情報を主制御部１０５に転送する。本発明に於いては、操作者がマナーモードに設定するための入力手段となる。
【００２８】
図１のマナーモード時間帯設定部１１１は、図示していない不揮発性のメモリ（例えば、フラッシュメモリ）内のエリアに割り当てられている。このマナーモード時間帯設定部１１１は、主制御部１０５からの設定されたマナーモード設定履歴データ格納部１０９に保存されているデータに基づいて、その日のマナーモードを設定する時間帯を保存している格納部である。操作者がマナーモードを設定した場合に、日付更新時に主制御部１０５は、日付時計機能部１０８を介して日付の変わった曜日情報（例えば、今日の曜日が月曜日）を読み出し、その曜日情報と一致する曜日に該当する時間帯をマナーモード履歴格納部１０９から履歴データとして読み出し、更に、その読み出した履歴データ（時間帯）を基にマナーモード時間帯設定部１１１を更新して保存する。このことで、マナーモードに設定する今日の予定（スケジュール）の時間帯がマナーモード時間帯設定部１１１に登録されたことになる。すなわち、マナーモード時間帯設定部１１１には、今日一日のマナーモードスケジュールの内容が設定されることになる。
【００２９】
図１のマナーモード通報手段格納部１１２は、図示していない不揮発性のメモリ（例えば、フラッシュメモリ）内のエリアに割り当てられている。このマナーモード通報手段格納部１１２は、操作入力部１１０から主制御部１０４を介して設定する情報により、マナーモードとしての通報手段の設定を格納し、報知部１０４に対する指示をどのような方法（例えば、振動、無音）でするかを、設定保存しておく。
【００３０】
図１のマナーモード状態設定部１１３は、図示していない不揮発性のメモリ（例えば、フラッシュメモリ）内のエリアに割り当てられている。このマナーモード状態設定部１１３には、図２に示すように、利用者がマナー状態にしたいときにいつでも設定できるようにマナーモードを示すマナーモード１１３１と、履歴を使用することを示すマナー履歴管理モード１１３２とが割り当てられている。このマナー履歴管理モード１１３２が「ＯＮ」になっていると、マナーモード時間設定部１１１に設定された時間帯がマナーモード１１３１の設定に係らずマナーモードになり、かつ利用者がマナーモード（マナーモード１１３１をＯＮ）に設定した時間帯の履歴を条件（以降の動作で説明）に従ってマナーモード設定履歴データ格納部１０９に取る。
【００３１】
次に、図１〜図９を参照して、本発明の第１の実施の形態の動作について説明する。
【００３２】
先ず、マナー履歴管理モードの設定について図８を中心に説明する。
利用者が操作入力部１１０からマナー履歴管理モードの設定を行うと、主制御部１０５は、曜日毎に、登録されている履歴データ（過去に登録された時間帯）を使用するか、新たに履歴を取る履歴データ（これから登録される時間帯）を使用するかを表示部１０３に表示し、操作入力部１１０から曜日毎に選択させる。すると、主制御部１０５は、利用者に選択された情報に基づいて、マナーモード設定履歴データ格納部１０９内の利用者に履歴を取る方に選択された各曜日に該当する履歴のエリアを「ＯＮ」に、時間帯のエリアをクリア（この実施の形態ではブランクにすることを言う）に、それぞれする。更に、主制御部１０５は、現在の曜日に該当する履歴のエリアが「ＯＮ」かの確認を行う（図８のステップＳ５０１〜Ｓ５０４）。
【００３３】
ステップＳ５０４において、「ＯＮ」であれば、主制御部１０５は、マナー状態設定部１１３のマナーモード１１３１が「ＯＮ」になっているかの確認を行う（ステップＳ５０５，Ｓ５０６）。
【００３４】
ステップＳ５０６において、「ＯＮ」であれば、主制御部１０５は、マナー状態設定部１１３のマナー履歴管理モード１１３２を「ＯＮ」に設定し、マナーモード設定履歴データ格納部１０９内で現在の曜日に該当する時間帯のエリアに現在の時刻を開始時間として登録し、マナーモード時間帯設定部１１１をクリアして終了し、待機状態に遷移する（ステップＳ５０７）。
【００３５】
ステップＳ５０６において、「ＯＦＦ」であれば、主制御部１０５は、マナー状態設定部１１３のマナー履歴管理モード１１３２を「ＯＮ」に設定し、マナーモード時間帯設定部１１１をクリアして終了し、待機状態に遷移する（ステップＳ５０８）。
【００３６】
ステップＳ５０４において、「ＯＦＦ」であれば、主制御部１０５は、マナー状態設定部１１３のマナー履歴管理モード１１３２を「ＯＮ」に設定し、マナーモード設定履歴データ格納部１０９から現在の曜日に該当する時間帯を読み出す。更に、主制御部１０５は、その読み出した時間帯をマナーモード時間帯設定部１１１に設定して終了し、待機状態に遷移する（ステップＳ５０７）。この場合、読み出した時間帯がブランクであれば、マナーモード時間帯設定部１１１もブランク（クリア）になる。
【００３７】
次にマナーモードの設定について図６を中心に説明する。
利用者が操作入力部１１０からマナーモードの設定を行うと、主制御部１０５は、マナー状態設定部１１３のマナー履歴管理モード１１３２が「ＯＮ」になっているかの確認を行う（図６のステップＳ４０１，Ｓ４０２）。
【００３８】
ステップＳ４０２において、マナー履歴管理モードになっていれば、主制御部１０５は、マナー状態設定部１１３のマナーモード１１３１を「ＯＮ」に設定すると共に、マナーモード設定履歴データ格納部１０９の時間帯のエリアに現在の時間をマナーモード開始時間として登録（該当する曜日の開始時間に現在の時刻を設定）して終了し、待機状態に遷移する（ステップＳ４０３）。
【００３９】
ステップＳ４０２において、マナー履歴管理モードになっていなければ、主制御部１０５は、マナー状態設定部１１３のマナーモード１１３１をＯＮに設定して終了し、待機状態に遷移する（ステップＳ４０４）。
【００４０】
従って、上記のマナー履歴管理モードを設定し、マナーモードを設定することでその曜日のマナーモードにした時間帯の履歴がマナーモード設定履歴データ格納部１０９に登録されることになる。
【００４１】
なお、上記の図６のフローチャートの説明において、主制御部１０５がマナー履歴管理モード１１３２の設定の確認を行わないで、ステップＳ４０３だけを実行するようにしても良い。
【００４２】
このような状況の基で、図５のフローチャートを中心に、日付更新時における主制御部１０５の動作について説明する。すなわち、図５は、マナーモード設定履歴データに基づいたマナーモード時間帯設定部１１１への設定を行う主制御部１０５の動作のフローチャートである。
【００４３】
主制御部１０５が待機状態時に日付時計機能部１０８にて日付更新が発生した場合、主制御部１０５は、マナー状態設定部１１３のマナー履歴管理モード１１３２がＯＮになっているかの確認を行う（図５のステップＳ３０１，Ｓ３０２）。
【００４４】
ステップＳ３０２において、マナー履歴管理モード（マナー履歴管理モード１１３２がＯＮ）になっていれば、主制御部１０５は、マナーモード設定履歴データ格納部１０９の日付更新後の曜日（現在の曜日）の時間帯のエリアにデータ（時間）が登録されているかの確認を行う（ステップＳ３０３，Ｓ３０４）。
【００４５】
ステップＳ３０４において、データ（時間）が登録されている場合は、現在（当日）の曜日に該当する履歴データ（時間帯）をマナーモード設定履歴データ格納部１０９から読出し、マナーモード時間設定部１１１に登録する。更に、主制御部１０５は、マナーモードが継続中かどうか（マナーモード１１３１がＯＮかどうか）を確認する（ステップＳ３０５，Ｓ３０６）。
【００４６】
ステップＳ３０６において、継続中であれば、主制御部１０５は、マナーモード設定履歴データ格納部１０９の前日の曜日（日付更新前の曜日）の時間帯のエリアに終了時間００：００を登録すると共に、前日の曜日の履歴エリアを「ＯＦＦ」にする。更に、主制御部１０５は、現在の曜日の履歴エリアが「ＯＮ」に登録されているかを確認する（ステップＳ３０７〜Ｓ３０９）。
【００４７】
ステップＳ３０９において、主制御部１０５は、マナーモード設定履歴データ格納部１０９の当日（現在）の曜日に該当する時間帯のエリアに開始時間「０：００」を登録して待機状態に遷移する（ステップＳ３１０）。
【００４８】
ステップＳ３０６において、継続中でなければ、主制御部１０５は、マナーモード設定履歴データ格納部１０９の前日の曜日の履歴エリアを「ＯＦＦ」にして終了し、待機状態に遷移する（ステップＳ３１１）。
【００４９】
ステップＳ３０２において「ＯＮ」でなければ、ステップＳ３０４において登録されていなければ、ステップＳ３０９において「ＯＮ」でなければ、主制御部１０５は、それぞれ何もしないで終了し、待機状態に遷移する。
【００５０】
従って、主制御部１０５は、マナー履歴管理モードに設定されていれば、日付更新時に、マナーモード設定履歴データ格納部１０９に登録された履歴データのうち日付更新後の日付（今日）の曜日に該当する時間帯をマナーモード時間帯設定部１１１に登録することで、今日のマナーモードによる通知方法で通知すべき予定（スケジュール）を自動的に作成したことになる。
【００５１】
次に携帯電話端末装置に音声着信またはメール着信があった場合の動作を図４のフローチャートを中心に説明する。
主制御部１０５が待機状態時にアンテナ１００、無線送受信部１０１、無線データ制御部１０２を介して着信があると、主制御部１０５は、マナーモード状態設定部１１３のマナーモード１１３１がＯＮかどうか（マナーモードに設定されているかどうか）の確認を行う（図４のステップＳ２０１，Ｓ２０２）。
【００５２】
ステップＳ２０２において、マナーモードに設定されている（マナーモード１１３１がＯＮ）の場合、主制御部１０５は、マナーモードが有効と判断し、マナーモード通知手段格納部１１２に設定されている通知方法で報知部１０４を介して外部に通報して終了する（ステップＳ２０７）。この場合、終了すると、主制御部１０５は、待機状態に遷移する。
【００５３】
ステップＳ２０２において、マナーモードに設定されていない（マナーモード１１３１がＯＦＦ）場合、主制御部１０５は、マナーモード状態設定部１１３のマナー履歴管理モード１１３２がＯＮかどうかの確認を行う（ステップＳ２０３，Ｓ２０４）。
【００５４】
ステップＳ２０４において、マナー履歴管理モード１１３２がＯＮの場合、主制御部１０５は、日付機能部１０８を介して読み出した現在の時間がマナーモード時間帯設定部１１１に登録されている時間帯に存在するかの確認を行い、存在すれば、マナーモードが有効と判断し、マナーモード通知手段格納部１１２に設定されている通知方法で報知部１０４を介して外部に通報して終了する（ステップＳ２０５，Ｓ２０６，Ｓ２０７）。この場合、終了すると、主制御部１０５は、待機状態に遷移する。
【００５５】
ステップＳ２０４において、マナー履歴管理モード１１３２がＯＦＦの場合、主制御部１０５は、マナーモードが無効（通常モードと判断）と判断し、通常モードによる通知方法（予め設定されている通常の通知方法：例えば、着信メロディ）で報知部１０４を介して外部に通報して終了する（ステップＳ２０８）。この場合、終了すると、主制御部１０５は、待機状態に遷移する。
【００５６】
ステップＳ２０６において、主制御部１０５は、現在のこの時間帯がマナーモードでない場合（現在の時間がマナーモード時間帯設定部１１１に登録されている時間帯に存在しない場合）、マナーモードが無効（通常モードと判断）と判断し、通常設定されている通報方法で報知部１０４を介して外部に通報して終了する（ステップＳ２０８）。この場合、終了すると、主制御部１０５は、待機状態に遷移する。
【００５７】
なお、マナー履歴管理モードの解除については、図９を中心に説明する。
【００５８】
利用者が操作入力部１１０からマナー履歴管理モードの解除を行うと、主制御部１０５は、マナー状態設定部１１３のマナーモード１１３１がＯＮになっているかの確認を行う（図９のステップＳ５２１，Ｓ５２２）。
【００５９】
ステップＳ５２２において、マナーモード１１３１が「ＯＮ」になっていれば、主制御部１０５は、マナー状態設定部１１３のマナー履歴管理モード１１３２を「ＯＦＦ」に設定する。更に、当日の履歴のエリアが「ＯＮ」であれば、マナーモード設定履歴データ格納部１０９の現在の曜日の時間帯のエリアに現在の時刻をマナーモード終了時間として登録して終了し、待機状態に遷移する（ステップＳ５２３）。
【００６０】
ステップＳ５２２において、マナーモードが「ＯＦＦ」になっていれば、主制御部１０５は、マナー状態設定部１１３のマナー履歴管理モード１１３２を「ＯＦＦ」に設定して終了し、待機状態に遷移する（ステップＳ５２４）。
【００６１】
また、マナーモードの解除については、図７を中心に説明する。
【００６２】
利用者が操作入力部１１０からマナーモードの解除を行うと、主制御部１０５は、マナー状態設定部１１３のマナー履歴管理モード１１３２がＯＮになっているかの確認を行う（図７のステップＳ４２１，Ｓ４２２）。
【００６３】
ステップＳ４２２において、マナー履歴管理モード１１３２が「ＯＮ」になっていれば、主制御部１０５は、マナー状態設定部１１３のマナーモード１１３１を「ＯＦＦ」に設定する。更に、当日の履歴のエリアが「ＯＮ」であれば、マナーモード設定履歴データ格納部１０９の現在の曜日の時間帯のエリアに現在の時刻をマナーモード終了時間として登録して終了し、待機状態に遷移する（ステップＳ４２３）。
【００６４】
ステップＳ４２２において、マナー履歴管理モードが「ＯＦＦ」になっていれば、主制御部１０５は、マナー状態設定部１１３のマナーモード１１３１を「ＯＦＦ」に設定して終了し、待機状態に遷移する（ステップＳ５２４）。
【００６５】
上記の第１の実施の形態では、マナーモード設定履歴管理データ格納部１０５に、自動的に時間帯の履歴を取るようにしたが、利用者が操作入力部１１０から直接曜日毎に時間帯を設定できるようにしても良い。この場合、主制御部１０５は、曜日毎に時間帯が設定できるメニューを準備し、そのメニューに従って、利用者が時間帯を設定すると、設定した時間帯をマナー履歴管理データ格納部１０５の該当する曜日に記録する。従って、マナー履歴管理モード設定時に、履歴のエリアを過去履歴モードに設定すれば、設定したその曜日になると履歴データとしてマナーモード時間帯設定部１１１に設定されることになり、今日一日のマナーモードスケジュールとして利用できる。
【００６６】
上記に説明したように、本発明の第１の実施の形態は、携帯電話端末装置において、主制御部１０５がマナーモードに設定された場合にその設定された時間帯の履歴をマナーモード設定履歴データ格納部１０９に記録し、日付更新時に記録した時間帯の履歴を基に今日一日のマナーモードのスケジュールとしてマナーモードにすべき時間帯をマナーモード時間帯設定部１１１に作成しているため、予め利用者が手操作で操作入力部１１０からスケジューリングすることもなく、自動的に今日一日のマナーモードのスケジュールが作成される。
【００６７】
また、上記の第１の実施の形態は、利用者による履歴を使用するモード設定時に新規履歴モードまたは過去履歴モードの選択を曜日毎にさせ、利用者によるマナーモード設定時にその日に該当する曜日が新規履歴モードになっていれば、主制御部１０５がマナーモードの設定された時間帯をマナーモード設定履歴データ格納部１０９に履歴データとして登録していくようにしているため、利用者が各曜日別にマナーモードの設定状態を管理することができ、更に、日付更新時にマナー履歴管理モード１１３２が「ＯＮ」になっていれば主制御部１０５がマナーモード設定履歴データ格納部１０９に登録されている当日の曜日に該当する履歴データをマナーモード時間帯設定部１１１に設定にするようにしているため、利用者は、曜日毎に設定されるマナーモード時間帯設定部１１１の内容を今日一日のマナーモードスケジュールとしてマナーモードでの通報動作を可能とすることができる。
【００６８】
次に、本発明の第２の実施の形態について、図を参照して説明する。
【００６９】
該当日のマナーモードでの通報に利用する時間帯として、上記の第１の実施の形態では、曜日別に履歴の取った時間帯を利用していたが、第２の実施の形態では、利用者が履歴を取った時間帯をマナーモード通知に利用するとして設定した期間（例えば、当日からの日数により設定）の情報に基づいて毎日の特定の時間帯を利用する点で相違する。
【００７０】
図１０を参照すると、第２の実施の形態における携帯電話端末装置内の構成を示すブロック図であって、第１の実施の形態と比較すると、第２の実施の形態は、主制御部１０５が主制御部２０５に、マナーモード設定履歴データ格納部１０９がマナーモード設定履歴データ格納部２０９に、ＲＯＭ１１４がＲＯＭ２１４に、それぞれ変わった点で相違する。
【００７１】
図１０のマナーモード設定履歴データ格納部２０９は、図示していない不揮発性のメモリ（例えば、フラッシュメモリ）内のエリアに割り当てられている。このマナーモード設定履歴データ格納部２０９は、操作者が操作入力部１１０を介してマナーモードに設定している場合に、利用者が設定した期間そのマナーモードに設定されている時間帯を履歴情報データとして主制御部２０５により格納され、主制御部２０５に対して情報を提供している。本発明の情報データとして、例えば日毎に、マナーモードに設定した日付、１日の中の時間帯等を格納していき、記憶するエリアは、ローテートしながら使用する。なお、図１１にマナーモード設定履歴格納部２０９の格納状態の一例を示し、このマナーモード設定履歴格納部２０９は、利用者に期間を設定される（例では、２日間を想定）と、主制御部２０５により日付のエリアが割り当てられ、その日付毎に、日付情報を示す日付のエリアと、開始時間から終了時間を示す時間帯のエリアとから構成される。この場合、データの格納状態は、操作者がマナーモードを設定した場合に、指定した期間（マナー設定履歴モードに設定した日から指定された期間までの日）に関して格納している。主制御部１０５は、日付時計機能部１０８から読み出した日付情報と時刻情報とを基に、マナーモード設定時に開始時刻として、マナーモード終了時に終了時刻として、指定した期間までそれぞれ登録し続ける。
【００７２】
図１０の主制御部２０５は、プログラムＲＯＭ２１４に格納されたプログラムに用に従って本携帯電話端末装置全体を制御し、音声通話や電子メールデータの送受信動作を管理および制御している。
【００７３】
次に、図２、図４、図１０〜図１６を参照して、本発明の第２の実施の形態の動作について説明する。
【００７４】
先ずマナー履歴管理モードの設定について図１５を中心に主制御部２０５の動作を説明する。
利用者が操作入力部１１０からマナー履歴管理モードの設定を行うと、主制御部２０５は、期間の設定（例えば、当日からの日数）を入力するように表示部１０３に表示し、利用者に期間を操作入力部１１０から入力させる（図１５のステップＳ８０１）。
【００７５】
主制御部２０５は、マナーモード設定履歴データ格納部２０９内の期間分のエリアを確保する。更に、主制御部２０５は、マナーモード時間帯設定部１１１をクリアし、マナーモード状態設定部１１３のマナー履歴管理モード１１３２を「ＯＮ」に設定して終了し、待機状態に遷移する（ステップＳ８０２〜Ｓ８０３）。
【００７６】
次にマナーモードの設定について図１３を中心に主制御部２０５の動作を説明する。
利用者が操作入力部１１０からマナーモードの設定を行うと、主制御部２０５は、マナーモード状態設定部１１３のマナー履歴管理モード１１３２が「ＯＮ」になっているかの確認を行う（図１３のステップＳ７０１、Ｓ７０２）。
【００７７】
ステップＳ７０２において、マナー履歴管理モード（マナー履歴管理モード１１３２が「ＯＮ」）に設定されていれば、主制御部２０５は、履歴データ格納部２０９内の当日に該当する時間帯の開始時間に現在の時刻を登録し、マナーモード状態設定部１１３のマナーモード１１３１を「ＯＮ」に設定して終了し、待機状態に遷移する（ステップＳ７０３、Ｓ７０４）。
【００７８】
ステップＳ７０２において、マナー履歴管理モードに設定されていなければ、主制御部２０５は、マナーモード状態設定部１１３のマナーモード１１３１を「ＯＮ」に設定して終了し、待機状態に遷移する（ステップＳ７０４）。
【００７９】
従って、上記のマナー履歴管理モードを設定し、マナーモードを設定することで、指定された期間の間、マナーモードに設定した時間帯の履歴がマナーモード設定履歴データ格納部２０９に登録されることになる。
【００８０】
このような状況の基で、図１２のフローチャートを中心に、日付更新時における主制御部２０５の動作について説明する。すなわち、図１２は、マナーモード設定履歴データ格納部２０９の履歴データに基づいたマナーモード時間帯設定部１１１への設定を行う主制御部２０５の動作のフローチャートである。
【００８１】
主制御部２０５が待機状態時に日付時計機能部１０８にて日付更新が発生した場合、主制御部２０５は、マナー状態設定部１１３のマナー履歴管理モード１１３２が「ＯＮ」になっているかを確認する（図１２のステップＳ６０１、Ｓ６０２）。
【００８２】
ステップ６０２において、マナー履歴管理モードに設定されていれば、主制御部２０５は、履歴を取った前日日付が利用者に指定された最終日の日付であったかを確認する（ステップＳ６０３、Ｓ６０４）。
【００８３】
ステップＳ６０４において、最終日であれば、必要とする履歴データが取られたと判断し、主制御部２０５は、マナーモード設定履歴データ格納部２０９に履歴データとして取った日数分の時間帯（この場合、例えば、各日付との間でＯＲした時間帯）を基に、マナーモード時間帯設定部１１１に登録して終了し、待機状態に遷移する（ステップＳ６０５）。
【００８４】
ステップＳ６０４において、最終日でなければ、必要とする履歴データを取っている最中だと判断し、主制御部２０５は、何もしないで終了し、待機状態に遷移する。
【００８５】
なお、携帯電話端末装置に音声着信またはメール着信があった場合については、主制御部２０５の動作は、第１の実施の形態の図４における主制御部１０５の動作と同じなので説明を省略する。
【００８６】
なお、マナー履歴管理モードの解除については、図１６を中心に主制御部２０５の動作を説明する。
利用者が操作入力部１１０からマナー履歴管理モードの解除を行うと、主制御部２０５は、マナー状態設定部１１３のマナーモード１１３１がＯＮになっているかの確認を行う（図１６のステップＳ８２１，Ｓ８２２）。
【００８７】
ステップＳ８２２において、マナーモード１１３１が「ＯＮ」になっていれば、主制御部２０５は、マナー状態設定部１１３のマナー履歴管理モード１１３２を「ＯＦＦ」に設定する。更に、当日の履歴のエリアが「ＯＮ」であれば、マナーモード設定履歴データ格納部２０９の当日に該当する時間帯のエリアに現在の時刻をマナーモード終了時間として設定し、マナー状態設定部１１３のマナー履歴管理モード１１３２を「ＯＦＦ」に設定（マナー履歴管理モードの解除）して終了し、待機状態に遷移する（ステップＳ８２３，Ｓ８２４）。
【００８８】
ステップＳ８２２において、マナーモード１１３１が「ＯＦＦ」になっていれば、主制御部２０５は、マナー状態設定部１１３のマナー履歴管理モード１１３２を「ＯＦＦ」に設定して終了し、待機状態に遷移する（ステップＳ８２４）。
【００８９】
また、マナーモードの解除については、図１４を中心に主制御部２０５の動作を説明する。
利用者が操作入力部１１０からマナーモードの解除を行うと、主制御部２０５は、マナー状態設定部１１３のマナー履歴管理モード１１３２がＯＮになっているかの確認を行う（図１４のステップＳ７２１，Ｓ７２２）。
【００９０】
ステップＳ７２２において、マナー履歴管理モード１１３２が「ＯＮ」になっていれば、主制御部２０５は、マナーモード設定履歴データ格納部２０９の当日に該当する時間帯のエリアに現在の時刻をマナーモード終了時間として設定しマナー状態設定部１１３のマナーモード１１３１を「ＯＦＦ」に設定して終了し、待機状態に遷移する（ステップＳ４２３）。
【００９１】
ステップＳ７２２において、マナー履歴管理モード１１３２が「ＯＦＦ」になっていれば、主制御部２０５は、マナー状態設定部１１３のマナーモード１１３１を「ＯＦＦ」に設定して終了し、待機状態に遷移する（ステップＳ７２４）。
【００９２】
上記に説明したように、本発明の第２の実施の形態は、携帯電話端末装置において、主制御部２０５がマナーモードに設定された場合にその設定された時間帯の履歴をマナーモード設定履歴データ格納部２０９に記録し、日付更新時に記録した時間帯の履歴を基に今日一日のマナーモードのスケジュールとしてマナーモードにすべき時間帯をマナーモード時間帯設定部１１１に作成しているため、予め利用者が手操作で操作入力部１１０からスケジューリングすることもなく、自動的に今日一日のマナーモードのスケジュールが作成されるという効果がある。
【００９３】
また、上記の第２の実施の形態は、利用者によるマナーモード設定時にマナーモード履歴管理モード１１３２が「ＯＮ」になっていれば、主制御部２０５がマナーモードに設定された時間帯をマナーモード設定履歴データ格納部２０９に履歴データとして利用者に指定された期間の間登録していくようにし、更に、日付更新時にマナー履歴管理モード１１３２が「ＯＮ」になっていれば主制御部２０５がマナーモード設定履歴データ格納部２０９に登録されている期間分の履歴データをマナーモード時間帯設定部１１１に設定にするようにしているため、利用者が曜日毎に設定されるマナーモード時間帯設定部１１１の内容を今日一日のマナーモードスケジュールとしてマナーモードでの通報動作を可能とすることができる。
【００９４】
【発明の効果】
上記に説明したように、本発明は、携帯電話端末装置がマナーモードに設定された場合にその設定された時間帯の履歴を記録し、日付更新時に記録した時間帯の履歴を基に今日一日のマナーモードのスケジュールとしてマナーモードにすべき時間帯を作成しているため、予め利用者が手操作でスケジューリングすることもなく、自動的に今日一日のマナーモードのスケジュールが作成されるという効果がある。
【００９５】
また、本発明は、利用者によるマナーモード設定時にその日に該当する曜日が新規履歴モードになっていれば、携帯電話端末装置がマナーモードの設定された時間帯を履歴データとして登録するようにしていうるため、利用者は、各曜日別にマナーモードの設定状態を管理することができ、更に、日付更新時に履歴を使用するモードになっていれば携帯電話端末装置が履歴データとして登録されている当日の曜日に該当する履歴データをマナーモードスケジュールとして作成にするようにしているため、利用者が曜日毎に作成されるマナーモードスケジュールを今日一日のマナーモードスケジュールとしてマナーモードでの通報動作を可能とすることができるという効果がある。
【００９６】
また、本発明は、利用者によるマナーモード設定時に履歴を使用するモードになっていれば、携帯電話端末装置がマナーモードに設定された時間帯を履歴データとして利用者に指定された期間の間登録していくようにし、更に、日付更新時に履歴を使用するモードになっていれば携帯電話端末装置が履歴データとして登録されている期間分の履歴データをマナーモードスケジュールとして作成するようにしているため、利用者は、曜日毎に作成されるマナーモードスケジュールを今日一日のマナーモードスケジュールとしてマナーモードでの通報動作を可能とすることができるという効果がある。
【図面の簡単な説明】
【図１】本発明の第１の実施の形態の構成を示す携帯電話端末装置内のブロック図である。
【図２】図１および図１０のマナーモード状態設定部内の構成の概略を示す構成概略図である。
【図３】図１のマナーモード設定履歴データ格納部内の構成の概略を示す構成概略図である。
【図４】携帯電話端末装置に着信があった場合の図１および図１０の主制御部の動作を示すフローチャートである。
【図５】日付更新時における図１の主制御部の動作を示すフローチャートである。
【図６】利用者が図１の操作入力部からマナーモードの設定の行った場合の図１の主制御部の動作を示すフローチャートである。
【図７】利用者が図１の操作入力部からマナーモードの解除の行った場合の図１の主制御部の動作を示すフローチャートである。
【図８】利用者が図１の操作入力部からマナー履歴管理モードの設定の行った場合の図１の主制御部の動作を示すフローチャートである。
【図９】利用者が図１の操作入力部からマナー履歴管理モードの解除の行った場合の図１の主制御部の動作を示すフローチャートである。
【図１０】本発明の第２の実施の形態の構成を示す携帯電話端末装置内のブロック図である。
【図１１】図１０のマナーモード設定履歴データ格納部内の構成の概略を示す構成概略図である。
【図１２】日付更新時における図１０の主制御部の動作を示すフローチャートである。
【図１３】利用者が図１０の操作入力部からマナーモードの設定の行った場合の図１０の主制御部の動作を示すフローチャートである。
【図１４】利用者が図１０の操作入力部からマナーモードの解除の行った場合の図１０の主制御部の動作を示すフローチャートである。
【図１５】利用者が図１０の操作入力部からマナー履歴管理モードの設定の行った場合の図１０の主制御部の動作を示すフローチャートである。
【図１６】利用者が図１０の操作入力部からマナー履歴管理モードの解除の行った場合の図１０の主制御部の動作を示すフローチャートである。
【符号の説明】
１００    アンテナ
１０１    無線送受信部
１０２    無線データ制御部
１０３    表示部
１０４    報知部
１０５，２０５    主制御部
１０６    受話部
１０７    送話部
１０８    日付時計機能部
１０９，２０９    マナーモード設定履歴データ格納部
１１０    操作入力部
１１１    マナーモード時間帯設定部
１１２    マナーモード通報手段格納部
１１３    マナーモード状態設定部
１１４，２１４    プログラムＲＯＭ
【図１】
2004253980.tif 000003
【図２】
2004253980.tif 000004
【図３】
2004253980.tif 000005
【図４】
2004253980.tif 000006
【図５】
2004253980.tif 000007
【図６】
2004253980.tif 000008
【図７】
2004253980.tif 000009
【図８】
2004253980.tif 000010
【図９】
2004253980.tif 000011
【図１０】
2004253980.tif 000012
【図１１】
2004253980.tif 000013
【図１２】
2004253980.tif 000014
【図１３】
2004253980.tif 000015
【図１４】
2004253980.tif 000016
【図１５】
2004253980.tif 000017
【図１６】
2004253980.tif 000018